(57)【要約】【課題】透明状態と表示状態とを交互に変化させられるスクリーンを挟んで撮像した際に、明るくノイズの少ない映像を撮像することができる撮像表示装置及び撮像方法を提供する。【解決手段】複数に分割された領域ごとに透明状態と散乱状態に光学状態が変化することが可能なスクリーン２とＣＭＯＳイメージセンサ４ａを備えたカメラ４を有する撮像表示装置１において、カメラ４の制御部４ｂが、スクリーン２が散乱状態である領域に対応する画素のフォトダイオードリセットゲートＴｒ１に、光電変換電荷をリセットさせる。【選択図】図１
2014050001.tif 000002
【特許請求の範囲】
【請求項１】
複数に分割された領域ごとに透明状態または表示状態に光学状態を変化させることができるスクリーンと、光電変換電荷を積算することで撮像される画素が複数設けられ、かつ、前記スクリーンの方向を撮像するように設置された撮像手段と、を有する撮像表示装置において、
前記撮像手段が、前記画素に積算された前記光電変換電荷をリセットする電荷リセット手段を備え、
前記スクリーンが表示状態である領域に対応する前記画素の前記光電変換電荷を前記電荷リセット手段にリセットさせる撮像制御手段を有する
ことを特徴とする撮像表示装置。
【請求項２】
前記スクリーンの複数に分割された領域のうち前記表示状態とする領域を切り替える切替信号を前記スクリーンに出力するスクリーン制御手段をさらに有し、
前記撮像制御手段が、前記切替信号に基づいて前記電荷リセット手段にリセットさせることを特徴とする請求項１に記載の撮像表示装置。
【請求項３】
前記撮像制御手段が、複数の前記画素に積算された前記光電変換電荷を前記電荷リセット手段にリセットさせることを特徴とする請求項１または２に記載の撮像表示装置。
【請求項４】
前記撮像制御手段が、前記スクリーンに表示される映像に同期して定期的に入力される同期信号を取得し、該同期信号に基づいて前記画素に積算された前記光電変換電荷を読み出すことを特徴とする請求項１乃至３のうちいずれか一項に記載の撮像表示装置。
【請求項５】
前記スクリーン上を走査される走査光に基づいて前記同期信号を生成する同期信号生成手段を有することを特徴とする請求項４に記載の撮像表示装置。
【請求項６】
複数に分割された領域ごとに透明状態または表示状態に光学状態を変化させることができるスクリーンと、光電変換電荷を積算することで撮像される画素が複数設けられ、かつ、前記スクリーンの方向を撮像するように設置された撮像手段と、を有する撮像表示装置の撮像方法において、
前記スクリーンの表示状態である領域を特定する領域特定工程と、
前記領域特定工程において特定された領域に対応する前記画素に積算された前記光電変換電荷をリセットする電荷リセット工程と、
を含むことを特徴とする撮像方法。
【発明の詳細な説明】
【技術分野】
【０００１】
本発明は、光電変換電荷を積算することで撮像される画素からなる素子を備えた撮像装置を有する撮像表示装置および撮像方法に関する。
【背景技術】
【０００２】
従来からプロジェクタ等の光源からの投影映像をスクリーン（投影面）に投影して映像を表示する表示装置が知られている。
【０００３】
このような表示装置において、例えば特許文献１には、表示スクリーンとして透過率を制御して透明状態と不透明状態とを交互に変化させることが可能なスクリーンを用いて、透明状態のときにスクリーンの背後に設置された撮像装置で鑑賞者の撮影を行い、不透明状態のときにはディプレイとして映像を表示させ、撮像装置のシャッターは閉じるようにしてテレビ電話などで視線を一致させることができるようにしたことが記載されている。
【０００４】
また、特許文献２には、スクリーン上に透明状態と光散乱状態を例えば市松模様に表示して、透明状態の領域からビデオカメラが話者に焦点を当てて撮影することや、透明状態と光散乱状態の領域を交互に入れ替えることが記載されている。
【先行技術文献】
【特許文献】
【０００５】
【特許文献１】特許第２６８８５１９号公報
【特許文献２】特許第４０１６１６２号公報
【発明の概要】
【発明が解決しようとする課題】
【０００６】
特許文献１に記載された画像通信用表示撮影装置は、表示スクリーンが光散乱状態とされている期間中は、撮像装置のシャッターが閉じた状態とされるので、撮像装置への入射光の光量は少なくなってしまう。このため、室内が十分明るくないときには撮影された画像が暗くなってしまい、良好な画像を得ることができないという問題があった。さらに、撮像装置で動きの早い被写体を撮影すると、シャッターが閉じている時間は撮影されないので、撮影された画像がコマ送りのような画像となってしまい、動きの滑らかな画像を得ることができないという問題があった。
【０００７】
また、特許文献２に記載された通信システムは、散乱透過状態を交互に繰り返す間、散乱状態の部分では遮光されるため、撮影対象の明るさが低下する。また、プロジェクタで投影される投影光がスクリーンに表示されるため、撮像時にノイズとなるだけでなく、撮像対象とのコントラストが低下してしまうという問題があった。
【０００８】
さらに、特許文献２に記載された通信システムでは、ビデオカメラは、プロジェクタからの光線が入射されないように液晶スクリーンから離れた位置に設置しなければならないので、設置位置が限られてしまうという問題があった。
【０００９】
そこで、本発明は、上述した問題に鑑み、例えば、透明状態と表示状態とを交互に変化させられるスクリーンを挟んで撮像した際に、明るくノイズの少ない映像を撮像することができる撮像表示装置及び撮像方法を提供することを課題とする。
【課題を解決するための手段】
【００１０】
上記課題を解決するために、請求項１に記載の撮像表示装置は、複数に分割された領域ごとに透明状態または表示状態に光学状態を変化させることができるスクリーンと、光電変換電荷を積算することで撮像される画素が複数設けられ、かつ、前記スクリーンの方向を撮像するように設置された撮像手段と、を有する撮像表示装置において、前記撮像手段が、前記画素に積算された前記光電変換電荷をリセットする電荷リセット手段を備え、前記スクリーンが表示状態である領域に対応する前記画素の前記光電変換電荷を前記電荷リセット手段にリセットさせる撮像制御手段を有することを特徴としている。
【００１１】
請求項６に記載の撮像方法は、複数に分割された領域ごとに透明状態または表示状態に光学状態を変化させることができるスクリーンと、光電変換電荷を積算することで撮像される画素が複数設けられ、かつ、前記スクリーンの方向を撮像するように設置された撮像手段と、を有する撮像表示装置の撮像方法において、前記スクリーンの表示状態である領域を特定する領域特定工程と、前記領域特定工程において特定された領域に対応する前記画素に積算された前記光電変換電荷をリセットする電荷リセット工程と、を含むことを特徴としている。
【図面の簡単な説明】
【００１２】
【図１】本発明の一実施例にかかる撮像表示装置の構成図である。
【図２】図１に示されたスクリーンの断面図である。
【図３】プロジェクタの走査方法を示した説明図である。
【図４】図１に示されたスクリーンの分割方法と図３で示されたプロジェクタの走査方法を同期させて示した説明図である。
【図５】図４に示されたスクリーンの領域分割の他の例を示した説明図である。
【図６】図１に示されたＣＭＯＳイメージセンサの回路図である。
【図７】図１に示されたスクリーンとカメラの動作を示したタイミングチャートである。
【図８】図１に示されたＣＭＯＳイメージセンサの動作のフローチャートである。
【図９】図１に示されたＣＭＯＳイメージセンサの動作のフローチャートの他の例である。
【図１０】本発明の他の実施例にかかる撮像表示装置の構成図である。
【図１１】本発明の他の実施例にかかる撮像表示装置の構成図である。
【図１２】本発明の他の実施例にかかる撮像表示装置の構成図である。
【図１３】本発明の他の実施例にかかる撮像表示装置の構成図である。
【発明を実施するための形態】
【００１３】
以下、本発明の一実施形態にかかる撮像表示装置を説明する。本発明の一実施形態にかかる撮像表示装置は、複数に分割された領域ごとに透明状態または表示状態に光学状態を変化させることができるスクリーンと、光電変換電荷を積算することで撮像される画素が複数設けられ、かつ、スクリーンの方向を撮像するように設置された撮像手段と、を有し、さらに、スクリーンが表示状態である領域に対応する画素に積算された光電変換電荷を電荷リセット手段にリセットさせる撮像制御手段を有するので、スクリーンの表示状態にある部分（領域）のみを撮像しないようにして、他の部分（領域）は撮像するようにできるために、十分な露光ができ、明るくノイズの少ない映像を撮像することができる。
【００１４】
また、スクリーンの複数に分割された領域のうち表示状態とする領域を切り替える切替信号をスクリーンに出力するスクリーン制御手段をさらに有し、撮像制御手段が、切替信号に基づいて電荷リセット手段にリセットさせるようにしてもよい。このようにすることにより、スクリーン制御手段が生成する切替信号により、表示状態とする領域に対応する画素を特定することができる。
【００１５】
また、撮像制御手段が、複数の画素に積算された光電変換電荷を電荷リセット手段にリセットさせるようにしてもよい。このようにすることにより、一度に複数の画素の光電変換電荷をリセットすることができるので、リセットにかかる時間を短縮することができる。
【００１６】
また、撮像制御手段が、スクリーンに表示される映像に同期して定期的に入力される同期信号を取得し、該同期信号に基づいて画素に積算された光電変換電荷を読み出すようにしてもよい。このようにすることにより、撮像制御手段が、光電変換電荷のリセットと読み出しの制御の両方を行うことができ、光電変換電荷のリセットのタイミングと読み出しのタイミングを調整することができる。
【００１７】
また、スクリーン上を走査される走査光に基づいて同期信号を生成する同期信号生成手段を有してもよい。このようにすることより、スクリーンに表示される映像に基づいて同期信号を生成することができ、映像を投影する装置などから同期信号の入力が不要となる。
【００１８】
また、本発明の一実施形態にかかる撮像方法は、複数に分割された領域ごとに透明状態または表示状態に光学状態を変化させることができるスクリーンと、光電変換電荷を積算することで撮像される画素が複数設けられ、かつ、前記スクリーンの方向を撮像するように設置された撮像手段と、を有する撮像表示装置において、領域特定工程でスクリーンの表示状態である領域を特定し、電荷リセット工程で領域特定工程において特定された領域に対応する画素に積算された光電変換電荷をリセットするので、スクリーンの表示状態にある部分のみを撮像しないようにして、他の部分は撮像するようにできるために、十分な露光ができ、明るくノイズの少ない映像を撮像することができる。
【実施例】
【００１９】
本発明の一実施例にかかる撮像表示装置１を図１乃至図８を参照して説明する。撮像表示装置１は図１に示すように、スクリーン２と、プロジェクタ３と、カメラ４と、制御装置５と、を備えている。
【００２０】
スクリーン２は、光学状態を透過状態（透明状態）と散乱状態（表示状態）との間を切り替えることが可能である。スクリーン２は、例えば、図２の断面図に示したように、ガラスや樹脂などの一対の透明基板２ａに透明電極２ｂをそれぞれ形成し、一対の透明電極２ｂ間に液晶などの透過状態と散乱状態とに光学状態が変化する材料２ｃを挟んで構成されている。そして、一対の透明電極２ｂ間に電圧を印加または非印加とすることで透過状態と散乱状態が変化する。
【００２１】
このような液晶表示素子としては、電圧非印加時に透過状態となり電圧印加時に散乱状態となるリバースモード液晶素子や、電圧印加時に透過状態となり電圧非印加時に散乱状態となるノーマルモード液晶素子が挙げられるが、液晶表示素子に限らず、入射した光が透過できる状態（透明状態）と散乱状態などのプロジェクタ３から投影される映像を表示できる状態（表示状態）に変化することができる表示素子であればよい。
【００２２】
また、スクリーン２には、図３に示すように、後述するプロジェクタ３から表示する画像の画素に対応した色の強さを持つ色相の走査光（例えばレーザ光）が出力される。当該走査光は、所定の周波数にてスクリーン２の観察者から見て画面左側から右側へ走査され、一走査線分描画され終わった時点で次の走査線の位置に移動し（水平ブランキング期間）、同様の動作が繰り返され画面右下まで走査されると１枚の画像が表示される。そして、次の画像を表示するために、画面右下から左上へと走査が戻り（垂直ブランキング期間）、同様の走査が繰り返される。
【００２３】
また、スクリーン２は、帯状に複数領域に分割されており、この複数の領域ごとに透過状態と散乱状態を切り替えることが可能となっている。具体的には、プロジェクタ３が出力する走査光がスクリーン２に当たる領域は散乱状態、当たっていない領域は透過状態とする。例えば、図４に示したように領域１〜ｎのｎ個に分割した場合に、走査光が領域ｍに当たっている場合は領域ｍのみ散乱状態とし、他の領域は透過状態とする。
【００２４】
なお、分割方法は図４に示したような、１〜複数ラインごとに分割するに限らず、図５に示したような画素方向（横方向）に分割することを組み合わせてマトリクス状に分割するようにしてもよい。
【００２５】
プロジェクタ３は、上述したように、表示する映像の各画素に対応した色の強さを持つ色相の走査光（例えばレーザ光）を出力する走査型のプロジェクタである。また、プロジェクタ３は、コリメート光学系やビーム整形光学系などの光学系およびレーザ光をスクリーン２の２次元方向にスキャン（走査）するスキャナなどを有し、これらを介してレーザダイオードから出射された３原色のレーザ光がスクリーン２に向かって出力される。また、プロジェクタ３は、制御装置５に対して同期信号（最下端のラインを走査していること、または画面右下位置を走査していることを示す信号）を出力する。即ち、この同期信号は、スクリーン２に表示される映像に同期して定期的に出力される。
【００２６】
撮像手段としてのカメラ４は、撮像素子としてＣＭＯＳ（Complementary Metal Oxide Semiconductor）イメージセンサ４ａと、該ＣＭＯＳイメージセンサ４ａを制御する制御部４ｂと、を備え、観察者とスクリーン２を挟んで向かい合うように設置されて動画像を撮像する。つまり、カメラ４は、スクリーン２を撮像することで観察者を撮像することができる。ＣＭＯＳイメージセンサ４ａは、複数の画素が所定個数配列されており、入射した光を電荷に変換して積算し、その積算された電荷を読み出すことで画像データが得られる周知の撮像素子である。
【００２７】
図６にＣＭＯＳイメージセンサ４ａの１画素分の回路図を示す。ＣＭＯＳイメージセンサ４ａは、フォトダイオードＰＤと、フォトダイオードリセットゲートＴｒ１と、トランスファゲートＴｒ２と、フローティング容量Ｃと、フローティング容量リセットゲートＴｒ３と、アンプゲートＴｒ４と、アドレスゲートＴｒ５と、を備えている。
【００２８】
フォトトダイオードＰＤは、アノードが接地されカソードがフォトダイオードリセットゲートＴｒ１のソースとトランスファゲートＴｒ２のドレインに接続されている。電荷リセット手段としてのフォトダイオードリセットゲートＴｒ１は、ソースがフォトダイオードＰＤのカソードとトランスファゲートＴｒ２のドレインに接続されドレインが電源線に接続されている。
【００２９】
トランスファゲートＴｒ２は、ソースがフローティング容量Ｃの一端とフローティング容量リセットゲートＴｒ３のソースとアンプゲートＴｒ４のゲートに接続されドレインがフォトダイオードＰＤのカソードとフォトダイオードリセットゲートＴｒ１のソースに接続されている。フローティング容量Ｃは、一端がトランスファゲートＴｒ２のソースとフローティング容量リセットゲートＴｒ３のソースとアンプゲートＴｒ４のゲートに接続され他端が接地されている。
【００３０】
フローティング容量リセットゲートＴｒ３は、ソースがトランスファゲートＴｒ２のソースとフローティング容量Ｃの一端とアンプゲートＴｒ４のゲートに接続されドレインが電源線に接続されている。アンプゲートＴｒ４は、ソースがアドレスゲートＴｒ５のドレインと接続されドレインが電源線に接続され、ゲートがトランスファゲートＴｒ２のソースとフローティング容量リセットゲートＴｒ３のソースとフローティング容量の一端に接続されている。アドレスゲートＴｒ５は、ソースが出力部に接続されドレインがアンプゲートＴｒ４のソースに接続されている。
【００３１】
上述した回路のフォトダイオードリセットゲートＴｒ１と、トランスファゲートＴｒ２と、フローティング容量リセットゲートＴｒ３と、アンプゲートＴｒ４と、アドレスゲートＴｒ５は、ＭＯＳ（Metal Oxide Semiconductor）トランジスタで構成され、アンプゲートＴｒ４以外のトランジスタのゲートは制御部４ｂが制御する。
【００３２】
撮像制御手段としての制御部４ｂは、後述する制御装置５からの切替信号により、ＣＭＯＳイメージセンサ４ａのフォトダイオードリセットゲートＴｒ１やアドレスゲートＴｒ５などの制御を行って、ＣＭＯＳイメージセンサ４ａの露光時間の調整や、ＣＭＯＳイメージセンサ４ａで撮像された映像を示す電気信号の読み出しの制御などを行う。
【００３３】
スクリーン制御手段としての制御装置５は、プロジェクタ３から入力される同期信号に基づいて、スクリーン２の各領域の透過状態と散乱状態との切り替えを制御する切替信号をスクリーン２およびカメラ４に出力する。
【００３４】
ここで、上述した構成の撮像表示装置１における動作を図７のタイミングチャートを参照して説明する。図７（ａ）は、プロジェクタ３に表示される映像の例である。図７はフレームの時間軸を横方向としているので、実際に表示される映像が９０度回転した表示となっている。なお、図７では、領域１〜Ｘ（Ｘ≧５）までの複数領域に分割されている例である。
【００３５】
図７（ｂ）は、プロジェクタ３から出力される同期信号を示している。図７（ｂ）に示したように、同期信号はフレームの最終ラインの走査に同期して出力されている。図７（ｃ）は、スクリーンの散乱状態と透過状態との切り替えを各領域ごとに示している。図７（ｃ）に示したように、散乱状態が領域１から隣接する領域に順次シフトするように切替信号を出力している。
【００３６】
図７（ｄ）は、カメラ４における光電変換電荷の積算（蓄積）と非積算を示している。また、図７（ｄ）において、画素１〜ｍは領域１に対応する画素であり（画素１は画面左上位置に対応する画素、画素２は画素１の右隣の画素）、画素ｍ＋１、画素ｍ＋２は領域２に対応する画素であり、画素ｎは領域Ｘに対応する画素である。
【００３７】
図７（ｄ）に示したように、カメラ４のＣＭＯＳイメージセンサ４ａの画素は、対応するスクリーン２の領域が散乱状態の場合は、フォトダイオードリセットゲートＴｒ１により、フォトダイオードＰＤに積算される光電変換電荷をリセットして電荷の積算を行わないようにする。ここで、対応するとは、ＣＭＯＳイメージセンサ４ａがスクリーン２を撮像した際に、例えば、領域Ａを撮像する画素が領域Ａに対応する画素となる。そして、散乱状態以外の領域に対応する画素は光電変換電荷の積算を行うように制御する。
【００３８】
つまり、制御装置５から入力される領域ごとに散乱状態と透過状態とを切り替える切替信号に基づいて、制御部４ｂが、散乱状態に切り替えられる領域に対応する画素のフォトダイオードリセットゲートＴｒ１をＯＮに制御してフォトダイオードＰＤに積算（蓄積）されている光電変換電荷をリセットし、当該領域が透過状態に切り替えられた後にフォトダイオードリセットゲートＴｒ１をＯＦＦに制御してフォトダイオードＰＤのリセットを解除する。また、このリセット動作の前にトランスファゲートＴｒ２により、フォトダイオードＰＤに積算されている光電変換電荷をフローティング容量Ｃに転送しておき、アドレスゲートＴｒ５によりフローティング容量Ｃに転送された電荷を読み出して当該電荷に対応する電圧をＡ／Ｄ変換することで、フォトダイオードＰＤが撮像した映像を読み出すことができる。なお、読み出しタイミングは、図７に示したように同期信号に合わせて順次読み出すようにしている。
【００３９】
つまり、このフォトダイオードリセットゲートＴｒ１によるフォトダイオードＰＤのリセット動作の解除時点から、トランスファゲートＴｒ２によりフォトダイオードＰＤに蓄積されている光電変換電荷をフローティング容量Ｃに転送するまでが、光電変換電荷の積算期間（図７（ｄ）でＨｉｇｈレベルの期間）となり、この期間が当該画素の露光期間となる。
【００４０】
上述した動作を図８のフローチャートにまとめる。まず、プロジェクタ３から制御装置５を介して同期信号が入力された場合（ステップＳ１１がＹ）は、画素１から順次読み出しを開始する（ステップＳ１２）。即ち、フォトダイオードＰＤからトランスファゲートＴｒ２を介してフローティング容量Ｃに光電変換電荷を転送し、アンプゲートＴｒ４、アドレスゲートＴｒ５を介して出力部から読み出す。
【００４１】
次に、画素１から順次リセットを開始する（ステップＳ１３）。即ち、フォトダイオードリセットゲートＴｒ１によりフォトダイオードＰＤに光電変換電荷が積算されないようにしている。次に、制御装置５からの切替信号に基づいて散乱領域を特定し、散乱状態から透過状態になった領域に対応する画素のリセット状態を順次解除する（ステップＳ１４）。図８のフローチャートの場合は、ステップＳ１４が領域特定工程であり、電荷リセット工程となる。
【００４２】
なお、図８では、同期信号に基づいて領域１に対応する画素から順次読み出しを開始し、読み出し（フォトダイオードＰＤからフローティング容量Ｃへの転送）が終了した直後にフォトダイオードリセットゲートＴｒ１によるリセットを開始し、対応する領域でなくなった時点でリセット解除するように記載されているが、リセット動作自体は、図９に示したフローチャートのように対応する領域の検出時に行うようにしてもよい。
【００４３】
図９の場合は、入力された切替信号（ステップＳ２１がＹ）に基づいて散乱領域を特定し（ステップＳ２２）、特定された散乱領域に対応する画素をリセットする（ステップＳ２３）。
【００４４】
本実施例によれば、カメラ４の制御部４ｂが、スクリーン２が散乱状態である領域に対応する画素のフォトダイオードリセットゲートＴｒ１に、光電変換電荷をリセットさせるので、スクリーン２の表示状態にある領域のみを撮像しないようにして、他の領域は撮像するようにできるために、十分な露光ができ、明るくノイズの少ない映像を撮像することができる。
【００４５】
また、スクリーン２の各領域の透過状態と散乱状態とを切り替える切替信号をスクリーン２に出力する制御装置５を有し、制御部４ｂが、切替信号に基づいてフォトダイオードリセットゲートＴｒ１にリセットさせているので、スクリーン２の各領域の透過状態と散乱状態との切り替えを制御する切替信号により、散乱領域に対応する画素を特定することができる。
【００４６】
また、制御部４ｂが、スクリーン２に表示される映像に同期して定期的に入力される同期信号を取得し、該同期信号に基づいて画素に積算された光電変換電荷を読み出すようにしているので、制御部４ｂが、光電変換電荷のリセットと読み出しの制御の両方を行うことができ、光電変換電荷のリセットのタイミングと読み出しのタイミングを調整することができる。
【００４７】
なお、上述した実施例では画素１つずつ順次フォトダイオードリセットゲートＴｒ１が動作するようにしていたが、複数画素のフォトダイオードリセットゲートＴｒ１を一度に動作させるようにしてもよい。例えば、１ライン分や複数ライン分を同時にリセットさせることで、リセットにかかる時間を短縮することができる。
【００４８】
また、プロジェクタ３やカメラ４の位置は、上述した実施例に限らず、例えば、図１０に示したように、プロジェクタ３を観察者側に設けてもよいし、図１１に示したように、プロジェクタ３とカメラ４を観察者側に設けてもよい。図１１のように設けると、例えば、車載機器などに本発明を適用して、フロントガラスに情報を表示し、かつ、当該情報に遮られることなく車外の映像を撮像することができる。
【００４９】
また、制御装置５は、プロジェクタ３から同期信号を入力される代わりに、図１２に示したように、スクリーンの所定位置（例えば下端）に光検出器６を設け、この光検出器６の検出信号を同期信号としてもよい。つまり、プロジェクタ３が出力する走査光を光検出器６で検出することで、１フレーム期間に１回定期的に光検出器６が検出信号を出力するので、その信号を同期信号とすることができる。即ち、光検出器６が、スクリーン２上を走査される走査光に基づいて同期信号を生成する同期信号生成手段として機能する。このようにすることで、プロジェクタ３によらず同期信号が生成でき、プロジェクタ３との配線が不要となって、制御装置５をスクリーン２と一体的に構成し易くなる。
【００５０】
また、図１３に示したように、スクリーン２を、入射光の一部を反射するようなミラースクリーンとしてもよい。この場合、スクリーン２は観察者側からの入射光を反射するようにすると、観察者からは鏡のようになり、そこに、プロジェクタ３から映像を投射することで、観察者に映像を重ねることができる。また、カメラ４は、観察者の位置を認識するために撮像し、制御装置５がプロジェクタ３に対して観察者に重ねる映像の位置調整を行う。このようにすることで、例えば、店舗や自宅で、自分に似合う服や帽子等を疑似的に確認することができる。
【００５１】
また、上述した実施例では撮像素子としてＣＭＯＳイメージセンサを用いていたが、それに限らず、フォトダイオードリセットゲートＴｒ１のような電荷をリセットすることができる回路や機構を備え、複数画素を順次読み出すような構成である素子であれば本発明を適用できる。
【００５２】
前述した実施例によれば、以下の撮像表示装置１、撮像方法が得られる。
【００５３】
（付記１）複数に分割された領域ごとに透明状態または散乱状態に光学状態を変化させることができるスクリーン２と、光電変換電荷を積算することで撮像される画素が複数設けられ、かつ、スクリーン２の方向を撮像するように設置されたカメラ４と、を有する撮像表示装置１において、
カメラ４が、画素に積算された光電変換電荷をリセットするフォトダイオードリセットゲートＴｒ１を備え、
スクリーン２が散乱状態である領域に対応する画素の光電変換電荷をフォトダイオードリセットゲートＴｒ１にリセットさせる制御部４ｂを有する
ことを特徴とする撮像表示装置１。
【００５４】
（付記２）複数に分割された領域ごとに透明状態または表示状態に光学状態を変化させることができるスクリーン２と、光電変換電荷を積算することで撮像される画素が複数設けられ、かつ、スクリーン２の方向を撮像するように設置されたカメラ４と、を有する撮像表示装置１の撮像方法において、
スクリーン２の表示状態である領域を特定するステップＳ１４と、
ステップＳ２において特定された領域に対応する画素に積算された光電変換電荷をリセットするステップＳ１４と、
を含むことを特徴とする撮像方法。
【００５５】
これらの撮像表示装置１、撮像方法によれば、スクリーン２の散乱状態にある部分のみを撮像しないようにして、他の部分は撮像するようにすることができるために、十分な露光ができ、明るくノイズの少ない映像を撮像することができる。
【００５６】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００５７】
１        撮像表示装置
２        スクリーン
３        プロジェクタ
４        カメラ（撮像手段）
４ａ      ＣＭＯＳイメージセンサ（撮像素子）
４ｂ      制御部（制御手段）
５        制御装置
６        光検出器（同期信号生成手段）
Ｔｒ１    フォトダイオードリセットゲート（電荷リセット手段）
Ｓ１４    散乱及びリセット解除（領域特定工程、電荷リセット工程）
【図１】
2014050001.tif 000003
【図２】
2014050001.tif 000004
【図３】
2014050001.tif 000005
【図４】
2014050001.tif 000006
【図５】
2014050001.tif 000007
【図６】
2014050001.tif 000008
【図７】
2014050001.tif 000009
【図８】
2014050001.tif 000010
【図９】
2014050001.tif 000011
【図１０】
2014050001.tif 000012
【図１１】
2014050001.tif 000013
【図１２】
2014050001.tif 000014
【図１３】
2014050001.tif 000015